(57)【特許請求の範囲】
【請求項１】
開放区域と制限区域との間に設けられ、該開放区域と該制限区域とを開閉可能に仕切るスイング扉であって、
回動可能な本体部と、
前記本体部を上下に貫通し、前記制限区域側から操作される係止棒と、
前記本体部の上方部及び下方部にそれぞれ設けられ、外周部に回転制止凹部を有するヒンジ部材と、
前記係止棒を前記ヒンジ部材に向けて付勢する付勢部材と、を備え、
前記係止棒は、当該スイング扉の閉状態では前記回転制止凹部内に係止され、前記本体部が回動する際には、該回転制止凹部から離脱して前記ヒンジ部材の外周部に沿って移動する、ことを特徴とするスイング扉。
【請求項２】
前記本体部の制限区域側の側面に、前記係止棒を操作可能な操作孔が設けられている、ことを特徴とする請求項１に記載のスイング扉。
【請求項３】
一端側が前記係止棒と連接し、他端側に前記操作孔を貫通する突起部を有する長柄状の操作部材を更に備え、
前記長柄状の操作部材の略中央部が、前記本体部に対し回動可能に取り付けられ、
前記操作孔は、前記本体部の側面の前記制限区域側の上部に設けられている、ことを特徴とする請求項２に記載のスイング扉。
【請求項４】
前記本体部の前記制限区域側の側面には、前記操作孔と前記係止棒との間の位置において支持突起が設けられている、ことを特徴とする請求項２又は３に記載のスイング扉。
【請求項５】
前記ヒンジ部材は、半円形の部材であり、
前記回転制止凹部は、前記半円形のヒンジ部材の外周部に開口形成され、且つ、前記係止棒の半径よりも大きな深さを有する、ことを特徴とする請求項１〜４のいずれか一項に記載のスイング扉。
【請求項６】
前記ヒンジ部材は、その外周部において前記回転制止凹部とは別に、前記係止棒を係止及び離脱可能な第二回転制止凹部を更に有しており、
前記係止棒の前記第二回転制止凹部からの離脱を容易にすべく、前記第二回転制止凹部のうちの前記回転制止凹部に近い側面部分が、前記回転制止凹部に向かって傾斜形成されている、ことを特徴とする請求項１〜５のいずれか一項に記載のスイング扉。
【請求項７】
前記ヒンジ部材もしくはその近傍に設けられ、又は、当該スイング扉の取付け対象物に装着される弾性部材を更に備えており、
前記弾性部材は、回動する前記本体部による衝突を受けたとき、当該本体部を前記係止棒が前記回転制止凹部に係止される位置に向けて押し戻す働きをする、ことを特徴とする請求項１〜５のいずれか一項に記載のスイング扉。
【請求項８】
前記弾性部材は、前記ヒンジ部材に一体化されたブラケットに固定されたゴム材、バネ材またはダンパー部材である、ことを特徴とする請求項７に記載のスイング扉。
【発明の詳細な説明】
【技術分野】
【０００１】
本発明は、スイング扉に関する。
【背景技術】
【０００２】
例えば、コンビニエンスストアにおいて、従業員は、商品の補充、メンテナンス、店内清掃等のため、レジカウンターの内外間を出入りする必要があり、そのために、レジカウンターの一部に通路が設けられ、その通路にはスイング扉が設けられるのが通常である。また、レジカウンターにはレジスターが設置され、防犯上、このレジスターの金銭収容側となるレジカウンターの内側へは購買客の立ち入りを回避する必要があり、一定の操作をしないとスイング扉をカウンターの開放区域側からは開けられないようにされているものがある。
【０００３】
従来、このような防犯を考慮したスイング扉は、例えば、特許文献１に記載の開口部装置のように、種々提案されたものがあるが、スイング扉自体で開放区域側から制限区域側への侵入を防ぐことができる簡単な構成を用いたものはなかった。
【先行技術文献】
【特許文献】
【０００４】
【特許文献１】特開２００７−７７７６１号公報
【発明の概要】
【発明が解決しようとする課題】
【０００５】
こうした開口部装置は、開放区域から制限区域への侵入を防止する防犯を考慮したものであるが、複雑な施錠構造を持つものであり、頻繁に出入りするレジカウンターの通路の開閉に用いるには適さないという課題がある。
【０００６】
本発明は、このような課題に鑑みなされたものであり、開放区域から制限区域への進入を防止し、簡単な構成で防犯面に優れたスイング扉を提供することを主目的とする。
【課題を解決するための手段】
【０００７】
本発明は、上述の目的を達成するために以下の手段を採った。
【０００８】
本発明（請求項１）のスイング扉は、開放区域と制限区域との間に設けられ、該開放区域と該制限区域とを開閉可能に仕切るスイング扉であって、
回動可能な本体部と、前記本体部を上下に貫通し、前記制限区域側から操作される係止棒と、前記本体部の上方部及び下方部にそれぞれ設けられ、外周部に回転制止凹部を有するヒンジ部材と、前記係止棒を前記ヒンジ部材に向けて付勢する付勢部材と、を備え、
前記係止棒は、当該スイング扉の閉状態では前記回転制止凹部内に係止され、前記本体部が回動する際には、該回転制止凹部から離脱して前記ヒンジ部材の外周部に沿って移動する、ことを特徴とするスイング扉である。
【０００９】
このスイング扉では、本体部が回動することでスイング扉が開状態と閉状態との間を移動する。このとき、本体部の上方部及び下方部にそれぞれ設けられ外周部に回転制止凹部を有するヒンジ部材と、本体部を上下に貫通する係止棒と、係止棒をヒンジ部材に向けて付勢する付勢部材と、が設けられており、スイング扉の閉状態では、回転制止凹部に係止棒が付勢されて嵌り込むことにより、本体部が閉状態（閉位置）に位置決めされる。このような簡単な構成により、開放区域と制限区域とを開閉可能に仕切ることができる。このとき、係止棒は制限区域側から操作されるため、防犯面にも優れていると言える。こうすることにより、開放区域から制限区域への侵入を防止し、簡単な構成で防犯面に優れたスイング扉を提供することが可能となる。なお、ここで「スイング扉の閉状態」とは、開放区域と制限区域とがスイング扉によって仕切られている状態であり、「スイング扉の開状態」とは、閉状態からスイング扉が略９０度又は略マイナス９０度回動し、開放区域と制限区域とが仕切られていない状態である。
【００１０】
本発明のスイング扉において、前記本体部の制限区域側の側面に、前記係止棒を操作可能な操作孔が設けられていてもよい（請求項２）。この構成によれば、解錠機構が開放状態である従来の場合と比較して、係止棒を含む解錠機構が開放区域から目視されにくく、制限区域側の側面に設けられた操作孔を経て操作するため、開放区域側から操作しにくい。言い換えると、簡単な構成でありながらより防犯面に優れたスイング扉を提供することが可能となる。
【００１１】
また、請求項２の態様を採用した本発明のスイング扉において、一端側が前記係止棒と連接し、他端側に前記操作孔を貫通する突起部を有する長柄状の操作部材を更に備え、前記長柄状の操作部材の略中央部が、前記本体部に対し回動可能に取り付けられ、前記操作孔は、前記本体部の側面の前記制限区域側の上部に設けられていてもよい（請求項３）。この構成によれば、スイング扉の上部に設けられた操作孔から操作部材を介して係止棒を操作することができるため、スイング扉が低い位置に設けられている場合であっても、簡単な構成で防犯面に優れていながら、より操作性の高いスイング扉を提供することが可能となる。
【００１２】
本発明のスイング扉において、前記本体部の前記制限区域側の側面には、前記操作孔と前記係止棒との間の位置において支持突起が設けられていてもよい（請求項４）。この構成によれば、支持突起方向に操作部材を動かす際に、支持突起と操作部材とを摘むという操作により、支持突起が無い場合と比較して、操作部材をより容易に操作することができる。言い換えると、簡単な構成で防犯面に優れていながら、より操作性の高いスイング扉を提供することが可能となる。
【００１３】
本発明のスイング扉において、前記ヒンジ部材は、半円形の部材であり、前記回転制止凹部は、前記半円形のヒンジ部材の外周部に開口形成され、且つ、前記係止棒の半径よりも大きな深さを有していてもよい（請求項５）。この構成によれば、スイング扉の閉状態において係止棒が回転制止凹部の内部に嵌り込むことになるため、係止棒が回転制止凹部の内部に嵌り込まない場合と比較して、より強固にスイング扉を閉状態に保持することが可能となり、防犯性を向上させることができる。言い換えると、簡単な構成で高い操作性を保ちながら、より防犯面の優れたスイング扉を提供することが可能となる。
【００１４】
請求項１〜５のいずれか一項に記載のスイング扉において、前記ヒンジ部材は、その外周部において前記回転制止凹部とは別に、前記係止棒を係止及び離脱可能な第二回転制止凹部を更に有しており、前記係止棒の前記第二回転制止凹部からの離脱を容易にすべく、前記第二回転制止凹部のうちの前記回転制止凹部に近い側面部分が、前記回転制止凹部に向かって傾斜形成されている、ことは好ましい（請求項６）。この構成によれば、スイング扉の閉状態では回転制止凹部で係止棒を係止し、スイング扉の開状態では第二回転制止凹部で係止棒を係止することになる。このとき、第二回転制止凹部は回転制止凹部に近い側面部分が回転制止凹部に向かって傾斜しているため、スイング扉を回転制止凹部の方向に押圧するという簡単な操作でスイング扉の位置を容易に切り替え可能である。言い換えると、簡単な構成で防犯面に優れていながら、より高い操作性を有するスイング扉を提供することが可能となる。
【００１５】
また、請求項１〜５のいずれか一項に記載のスイング扉において、前記ヒンジ部材もしくはその近傍に設けられ、又は、当該スイング扉の取付け対象物に装着される弾性部材を更に備えており、前記弾性部材は、回動する前記本体部による衝突を受けたとき、当該本体部を前記係止棒が前記回転制止凹部に係止される位置に向けて押し戻す働きをすることは好ましい（請求項７）。尚、前記弾性部材が、前記ヒンジ部材に一体化されたブラケットに固定されたゴム材、バネ材またはダンパー部材であることは更に好ましい（請求項８）。
【００１６】
これらの構成よれば、係止棒が回転制止凹部から離脱した状態でスイング扉本体部が回動された場合、ヒンジ部材もしくはその近傍に設けられた弾性部材、又は、当該スイング扉の取付け対象物に装着された弾性部材が、勢い余って回動するスイング扉本体部の衝突を受ける。その際、衝突を受けた弾性部材は、その反発弾性に基づいて、そのスイング扉本体部を係止棒が回転制止凹部に係止される位置に向けて押し戻す。すると、押し戻されたスイング扉本体部は、係止棒が回転制止凹部に係止される位置にまで復帰回動し、その位置に達すると付勢部材の作用により係止棒が回転制止凹部に係止される。その結果、スイング扉本体部の回動が停止し、スイング扉は閉状態に保持される。つまり上記構成によれば、人がスイング扉を通過後も、その直後にスイング扉を中立位置に自動復帰させて、常に扉を閉状態に保ちたいというユーザーの要望を満たすことができる。
【図面の簡単な説明】
【００１７】
【図１】スイング扉２０の外観を示す斜視図である。
【図２】スイング扉２０の構成の概略を示す斜視図である。
【図３】閉状態におけるスイング扉２０を示し、（Ａ）はヒンジ円板５０及びその近傍の拡大平面図、（Ｂ）はスイング扉の全体斜視図。
【図４】回動時におけるスイング扉２０を示し、（Ａ）はヒンジ円板５０及びその近傍の拡大平面図、（Ｂ）はスイング扉の全体斜視図。
【図５】開状態におけるスイング扉２０を示し、（Ａ）はヒンジ円板５０及びその近傍の拡大平面図、（Ｂ）はスイング扉の全体斜視図。
【図６】第２実施形態のスイング扉１２０の構成の概略を示す斜視図である。
【図７】第３実施形態のスイング扉１２０の構成の概略を示す斜視図である。
【図８】第４実施形態のスイング扉の要部拡大斜視図。
【図９】第４実施形態で使用されるヒンジ円板及びその周辺部材を示し、（Ａ）は正面図、（Ｂ）は平面図、（Ｃ）は右側面図、（Ｄ）はＸ−Ｘ矢視図。
【発明を実施するための形態】
【００１８】
上記図面に基づいて、発明を実施するための形態を説明するにあたり、実施の形態の構成要素と本発明の構成要素との対応関係を明らかにする。実施の形態のスイング扉２０，１２０が本発明のスイング扉に相当し、本体部３０が本体部に相当し、ストッパ棒３１が係止棒に相当し、ヒンジ円板５０がヒンジ部材に相当し、バネ３９ａ，３９ｂが付勢部材に相当し、閉鎖凹部５２が回転制止凹部に相当し、操作窓３２が操作孔に相当し、操作棒４０が操作部材に相当し、操作突起４２が突起部に相当し、支持突起３４が支持突起に相当し、開放凹部５４ａ，５４ｂが第二回転制止凹部に相当する。なお、スイング扉２０，１２０の動作を説明することにより本発明のスイング扉の操作方法の一例も明らかにしている。
【００１９】
［第１実施形態］
次に、図１及び図２を用いて、本発明の第１実施形態のスイング扉２０の構成を詳しく説明する。ここで、図１は、スイング扉２０の外観を示す斜視図であり、図２は、スイング扉２０の構成の概略を示す斜視図である。本発明のスイング扉２０は、図１に示すように、本体部３０と、ヒンジ円板５０とからなり、本体部３０の上下を挟むように設けられたヒンジ円板５０に支点軸５６によって軸支されている。このヒンジ円板５０は開放区域と制限区域との境界に備えられたレジカウンター１０の壁面に取り付けられているため、本体部３０が回動することにより、開放区域と制限区域とを開閉可能に仕切っている。本発明を実施するための形態を説明するにあたり、開放区域とは、コンビニエンスストア等の購買客が自由に移動することができる購買客に対して開放された区域を意味し、制限区域とは、コンビニエンスストア等の従業員が業務を行い、購買客の立ち入りを認めない区域を意味するものとする。例えば、レジスターの金銭領域側であるレジカウンターの内側が制限区域に該当し、レジカウンターの外側が開放区域に該当する。
【００２０】
本体部３０は、金属製の略直方体形状の部材であり、図１に示すように、制限区域側であって本体部３０の上部に操作窓３２が設けられており、操作窓３２の近傍には支持突起３４が設けられている。操作窓３２には、後述する操作突起４２が本体部３０の内部側から制限区域側に貫通しており、操作窓３２から操作突起４２を介して操作棒４０の操作が可能となっている。
【００２１】
次に、本体部３０の内部の構造について、図２を用いて詳しく説明する。本体部３０の内部には、図２に示すように、本体部３０を上下に貫通するストッパ棒３１と、ストッパ棒３１を操作する操作棒４０と、操作棒４０の略中心位置を本体部３０に回動可能に固定する固定部材３６ａと、ストッパ棒３１の略中央位置でストッパ棒３１と操作棒４０とを連接する連接部材３８と、ストッパ棒３１の上端部をヒンジ円板５０の中心方向に付勢するバネ３９ａと、ストッパ棒３１の下端部をヒンジ円板５０の中心方向に付勢するバネ３９ｂと、を設けている。下側の固定部材３６ｂは上側の固定部材３６ａと同一の部材であるが、設置場所が連接部材３８を挟んで上方に設けられているか下方に設けられているかという点で相違する。即ち、連接部材３８は、本体部３０内に固設された上下一対の固定部材３６ａ，３６ｂ間に水平方向に移動可能に支持されている。なお、両固定部材３６ａ，３６ｂの設置場所は連接部材３８を中心に上下対称の位置であるため、本体部３０の上下を反転させて使用したい場合には、操作棒４０を固定部材３６ｂに付け替えるのみで使用することができ、設置に対する自由度が高い。バネ３９ａ，３９ｂはコイルスプリングであり、一端がストッパ棒３１と連接され、他方端が支点軸５６と連接されている。このため、ストッパ棒３１は、スイング扉が開状態であるか閉状態であるかを問わず、常にヒンジ円板５０の中心方向に付勢されることになる。なお、使用時には、図１に示すように、本体部３０の側面部カバー３０Ｃにより、これらの内部構成は外部からは視認できない状態が保たれている。このため、スイング扉２０の開閉機構が一見して明らかにならず、防犯面で優れていると言える。なお、前記操作窓３２及びその近傍の支持突起３４は前記側面部カバー３０Ｃに形成されている。
【００２２】
操作棒４０は、図２に示すように、略中央部がビス４４によって上側の固定部材３６ａに回動可能に取り付けられている金属製の長柄状の部材である。この操作棒４０の一端側（上端側）には操作突起４２が設けられており、他端側（下端側）は連接部材３８にビス４６によって回動可能に取り付けられている。
【００２３】
ヒンジ円板５０は、図２に示すように、なめらかな表面（半円弧状に湾曲した外周縁）を有する金属製の半円形状の部材であり、円周表面（円弧状外周部）に３つの凹部（５２，５４ａ，５４ｂ）と、支点軸５６を保持する軸孔５８（図３（Ａ）参照）と、を備えている。これら３つの凹部は、図３（Ａ）に示すように、制限区域側から順番に、開放凹部５４ａ、閉鎖凹部５２、開放凹部５４ｂの順で並んでおり、開放凹部５４ａと閉鎖凹部５２との角度及び開放凹部５４ｂと閉鎖凹部５２との角度は、それぞれ軸孔５８を中心として略９０度の角度で形成されている。また、これら３つの凹部は、ストッパ棒３１の直径よりも深く設計されており、ストッパ棒３１はバネ３９ａ，３９ｂによってヒンジ円板５０の中心方向に付勢されているため、スイング扉の開状態及び閉状態では、ストッパ棒３１が嵌め込まれ、本体部３０の位置が位置決めされる。また、本体部３０が回動する際には、ストッパ棒３１は、円周表面（円弧状外周部）に沿って移動することになる。
【００２４】
ここで、これらの凹部について、更に詳しく説明する。閉鎖凹部５２は、図３（Ｂ）に示すように、スイング扉２０が閉状態の際に、ストッパ棒３１がバネ３９ａ，３９ｂによって付勢され嵌め込まれる凹部であり、ストッパ棒３１の直径よりも深く形成されている。このため、ストッパ棒３１が一度閉鎖凹部５２に嵌め込まれた場合には、スイング扉２０は閉状態（閉位置）に位置決めされる。また、開放凹部５４ａ及び開放凹部５４ｂ（以下、両者をまとめて「開放凹部５４」ともいう）は、スイング扉２０が開状態の際に、ストッパ棒３１が嵌め込まれる凹部であり、ストッパ棒３１の直径よりも深く形成されている点では、閉鎖凹部５２と同様である。一方、それぞれの開放凹部５４の閉鎖凹部５２に近い面（側面部分）は、ヒンジ円板５０の表面（外周縁）に向かって傾斜を有している点で閉鎖凹部５２と異なっている。このため、ストッパ棒３１が開放凹部５４に嵌め込まれた場合には、スイング扉２０が位置決めされるものの、この位置からスイング扉２０を閉鎖凹部５２の方向に回動させることで、容易にストッパ棒３１を開放凹部５４から離脱させることができる。
【００２５】
次に、こうして構成された本実施形態のスイング扉２０の動作について、図３〜図５を用いて説明する。ここで、図３は、閉状態におけるスイング扉２０を説明するための説明図であり、図４は、ストッパ棒３１の閉鎖凹部５２からの離脱状態（回動可能時）を説明するための説明図であり、図５は、開状態におけるスイング扉２０を説明するための説明図である。また、それぞれの図において、図中（Ａ）は、ヒンジ円板５０とストッパ棒３１との位置関係を示す図であり、図中（Ｂ）は、それぞれの状態における本体部３０の内部を示す斜視図である。
【００２６】
スイング扉２０が閉状態である場合には、図３（Ｂ）に示すように、スイング扉２０は、レジカウンター１０の壁面と略垂直な位置である閉状態に位置決めされており、開放区域と制限区域とを仕切っている。このため、開放区域から制限区域への人（例えば、購買者）の侵入を防ぐことができる。制限区域から開放区域へ人（例えば、従業員）が移行する場合には、スイング扉２０を回動し、スイング扉２０の位置をレジカウンター１０の壁面と略平行な位置である開状態（図５参照）に位置決めする必要がある。
【００２７】
スイング扉２０を閉状態から開状態にするためには、閉鎖凹部５２に嵌め込まれているストッパ棒３１を取り出し、スイング扉２０が回動可能な状態にする必要がある。このために、操作窓３２より制限区域側に突出している操作突起４２を支持突起３４に接近する方向に押圧する。具体的には、操作突起４２と支持突起３４とを両側から挟むことで、操作突起４２を支持突起３４の方向に押圧する。こうすると、操作棒４０の略中心位置は、ビス４４を中心に回動可能に本体部３０に取り付けられているため、操作棒４０がビス４４を回動軸として回動し、操作棒４０の操作突起４２と反対側（他端側）が操作突起４２とは逆方向、つまり、ヒンジ円板５０と反対の方向に移動することになる。このとき、操作棒４０の操作突起４２と反対側（他端側）はビス４６によって連接部材３８に回動可能に固定されているため、連接部材３８がヒンジ円板５０と反対の方向に移動する。更に、連接部材３８とストッパ棒３１とは連接されているため、ストッパ棒３１がヒンジ円板５０と反対の方向に移動する。こうすることにより、図４（Ａ）に示すように、ストッパ棒３１が閉鎖凹部５２から離脱して、スイング扉２０が回動可能な状態になる。
【００２８】
次に、本体部３０を制限区域側へ回動する。具体的には、操作突起４２を支持突起３４の方向に押圧した状態で、図１中の矢印の方向に本体部３０をわずかに引く。このようにして、ストッパ棒３１がヒンジ円板５０の閉鎖凹部５２から離脱させた後は、操作突起４２を支持突起３４の方向に押圧し続ける必要はない。ヒンジ円板５０の表面（外周縁）はなだらかな円弧状であるため、閉鎖凹部５２からストッパ棒３１を取り外した後は、バネ３９ａ，３９ｂがストッパ棒３１をヒンジ円板５０の中心方向に付勢しても、本体部３０の回動を妨げないためである。本体部３０の回動に伴い、ストッパ棒３１は、ヒンジ円板５０のなめらかな円周上を移動した後、バネ３９ａ，３９ｂの付勢力によって開放凹部５４ａに嵌め込まれ、スイング扉は開状態（図５（Ａ）参照）になる。ここでは、制限区域側に本体部３０を回動させる場合を例に説明したが、開放区域側へ本体部３０を回動させる場合も同様であるため説明を省略する。
【００２９】
一方、スイング扉を開状態から閉状態に移行する際には、図１中の矢印と反対の方向に本体部３０を引く。こうすると、開放凹部５４ａの閉鎖凹部５２に近い面（側面部位）はヒンジ円板５０の表面に向かって傾斜を有しているため、本体部３０の回動に伴ってストッパ棒３１が開放凹部５４ａから離脱する。ストッパ棒３１が開放凹部５４ａから離脱した後は、ヒンジ円板５０の表面（外周縁）を本体部３０の回動を妨げることなく移動する。そして、閉鎖凹部５２の位置にストッパ棒３１が到達すると、バネ３９ａ，３９ｂの付勢力により閉鎖凹部５２内に嵌め込まれ、本体部３０を閉位置に位置決めする。ここでは、制限区域側から回動させる場合を例に説明したが、開放領域側から回動させる場合も開放凹部５４ａが開放凹部５４ｂに変わること以外は同様であるため、説明を省略する。
【００３０】
以上詳述した本実施の形態のスイング扉２０によれば、閉状態から開状態に移行する際には、操作突起４２を支持突起３４の方向に押圧した後に本体部３０を回動するという簡単な操作で開状態に移行することができ、スイング扉の開状態から閉状態に移行する際には、本体部３０を所望の方向に回動するという簡単な操作で閉状態に移行することができる。また、操作突起４２は、制限区域側から操作されるため、優れた防犯性を有することができる。したがって、簡単な構成で防犯面に優れたスイング扉２０を提供することが可能となる。
【００３１】
また、操作窓３２が制限区域側に設けられているため、開放区域側からはスイング扉２０の解錠機構の一部であるストッパ棒３１を目視することができない。従って、簡単な構成でありながら、より防犯面に優れたスイング扉２０を提供することが可能となる。
【００３２】
更に、上側の固定部材３６ａに操作棒４０の中央部が固定され、ストッパ棒３１と操作棒４０の一端側（下端側）が連接部材３８を介して連接しているため、操作棒４０の他端側（上端側）に設けられた操作突起４２を操作窓３２を介して操作することで、ストッパ棒３１を操作することができる。したがって、スイング扉２０が低い位置に設置されていた場合でも、容易にストッパ棒３１を操作することできる。言い換えると、簡単な構成で防犯面に優れ、かつ、操作性の高いスイング扉２０を提供することが可能となる。
【００３３】
更にまた、操作突起４２の横には支持突起３４が備えられており、操作突起４２を押圧する際に、操作突起４２と支持突起３４とを摘むという動作で押圧できるため、容易に押圧することができる。言い換えると、簡単な構成で防犯面に優れ、かつ、操作性の高いスイング扉２０を提供することが可能となる。
【００３４】
そしてまた、ヒンジ円板５０は半円形状であり、その表面（外周部）にストッパ棒３１の半径より深い閉鎖凹部５２及び開放凹部５４を有しているため、ストッパ棒３１を閉鎖凹部５２又は開放凹部５４に嵌め込むことができる。言い換えると、ストッパ棒３１が閉鎖凹部５２又は開放凹部５４に入らない場合と比較して、より確実に開状態及び閉状態に位置決めすることができる。こうすることにより、簡単な構成で防犯面に優れ、かつ、信頼性の高いスイング扉２０を提供することが可能となる。
【００３５】
そして更に、開放凹部５４の閉鎖凹部５２側の壁面は、ヒンジ円板５０の表面（外周縁）に向かって傾斜を有しているため、本体部３０を閉位置方向に回動させるという簡単な操作でウイング扉２０の閉鎖を行うことができる。言い換えると、簡単な構成で防犯面に優れ、かつ、操作性の高いスイング扉２０を提供することが可能となる。
【００３６】
なお、本発明は上述した実施形態に何ら限定されることはなく、本発明の技術的範囲に属する限り種々の態様で実施し得ることはいうまでもない。
【００３７】
例えば、上述した実施の形態では、開放凹部５４の閉鎖凹部５２側の壁面は、ヒンジ円板５０の表面（外周縁）に向かって傾斜を有しているものとしたが、傾斜を有していなくても良い。この場合であっても、閉状態から開状態にする際に、操作棒４０を操作することで、上述した実施の形態と同様の効果が得られる。
【００３８】
［第２及び第３実施形態］
上述した第１実施形態では、スイング扉２０を回動する際は、操作棒４０を介してストッパ棒３１を動かすこととしたが、図６に示すように、スイング扉１２０の制限領域側にストッパ棒３１の略中央部を露出し、ストッパ棒３１を直接操作するようにしても良い（第２実施形態）。こうすれば、上述した第１実施形態と同様の効果が得られながら、操作棒４０等を必要としないため部品点数を減らすことができ、環境に資することができる。また、このスイング扉１２０において、図７に示すように、ストッパ棒３１の露出部分の内側（近傍）に把持穴１２２を有していても良い（第３実施形態）。こうすれば、把持穴１２２とストッパ棒３１とを掴むという動作でストッパ棒３１を操作できるため、把持穴１２２が無い場合と比較して、上述した第１実施形態と同様の効果が得られながら、より容易に操作することができる。なお、ここで図６及び図７は、第２及び第３実施形態のスイング扉１２０の構成の概略を示す斜視図である。
【００３９】
［第４実施形態］
上記第１〜第３実施形態では、ヒンジ円板５０の外周部に第二回転制止凹部としての開放凹部５４ａ，５４ｂを設けたが、図８及び図９に示す第４実施形態のように、ヒンジ円板５０に開放凹部（第二回転制止凹部）を設けることなく、代わりに、少なくとも一つの弾性部材８５を追加設置してもよい。
【００４０】
具体的には図９（Ａ）〜（Ｄ）に示すように、スイング扉の本体部３０の上下にそれぞれ配設されるヒンジ円板５０は、背板部８１と半円板状の隠し板部８２とが側面視Ｌ字状に連結されてなるブラケット８０に一体化されている。このブラケット８０は、レジカウンター１０等の取付け対象物の側壁面にヒンジ円板５０を固定するための取付け介在部品であり、ブラケットの背板部８１には、固定ネジ（図示略）を挿入するためのネジ穴８３が複数（本例では４穴）形成されている。ヒンジ円板５０は、ブラケットの背板部８１に対して略直角となるように、例えば溶接によって固定されており、その結果、ヒンジ円板５０は、ブラケットの隠し板部８２と略平行となっている。なお、ブラケットの隠し板部８２は、例えばスイング扉の上側に配設されるヒンジ円板５０にとってはその上方に位置する天板と位置付けられ、当該ヒンジ円板５０及びそれに隣接するストッパ棒３１の上端部を覆い隠し、外部から見えにくくすると共に、衣服等がストッパ棒３１の上端部に引っ掛かるのを防止する。
【００４１】
ブラケットの背板部８１には、左右一対の弾性部材８５が取り付けられている。弾性部材８５は、例えば円柱形状に形成されたウレタン製のゴム材である。これらの弾性部材８５は、ブラケットの背板部８１の左右端部付近にそれぞれ、回動時に接近するスイング扉本体部３０に対向し得るように設けられている。これらの弾性部材８５は、ブラケットの背板部８１に対して接着剤で固着されてもよいが、取付け対象物の側壁面にブラケット８０を固定する際に用いる固定ネジ（図示略）を利用して背板部８１に固定されてもよい。その場合、各円柱状弾性部材８５の中心部に中抜き穴を貫通形成しておき、その中抜き穴が前記ネジ穴８３に整合するように弾性部材８５を位置決めすれば（図９（Ａ）参照）、当該中抜き穴を固定ネジの通し孔として、一本の固定ネジによって弾性部材８５及びブラケット８０を同時に固定することができる。
【００４２】
前記第１〜第３実施形態と同様、第４実施形態のヒンジ円板５０は、その半円状外周域の中心位置において回転制止凹部としての閉鎖凹部５２を有し、この閉鎖凹部５２はストッパ棒３１の直径よりも深く形成されている。そして、閉鎖凹部５２内にストッパ棒３１が係止されるとき、スイング扉の本体部３０は中立位置（図８の位置および図９（Ｄ）仮想線の位置）に保持され、スイング扉は閉状態となる。
【００４３】
人が、操作突起４２を操作してストッパ棒３１を閉鎖凹部５２から離脱させた後、スイング扉本体部３０を中立位置からいずれかの方向に押したとする。一般にスイング扉本体部３０は軽量なので、人が軽く押すだけでたやすく回動し、中立位置から約９０度の位置にまで容易に達する。その際、勢い余ったスイング扉本体部３０が前記左右一対の弾性部材８５のいずれか一方に衝突すると、衝突された弾性部材８５は、その反発弾性に基づいてスイング扉本体部３０を中立位置に向けて押し戻す。すると、スイング扉本体部３０は中立位置に向けて復帰回動し、中立位置に達すると、バネ３９ａ，３９ｂの作用によりストッパ棒３１が閉鎖凹部５２に係入（係止）される。その結果、スイング扉本体部３０の回動が停止し、スイング扉が閉状態に保持される。このように第４実施形態によれば、人がスイング扉を通過した場合でも、その直後にスイング扉を中立位置に自動復帰させて、常に扉を閉状態に保ちたいというユーザーの要望を満たすことができる。
【００４４】
なお、上記第４実施形態では、弾性部材８５としてゴム材を採用したが、これに代えてバネ材（例えばコイネバネ、板バネ）またはダンパー部材（例えばバネ圧やガス圧を利用するもの）を採用しても良い。また、弾性部材８５は、ヒンジ円板５０に一体化されたブラケット８０上ではなく、その近傍に設けてもよく、あるいは、スイング扉の取付け対象物（例えばレジカウンターの側壁等）に直接装着してもよい。更に、上記第４実施形態では、中立位置のスイング扉本体部３０を間に挟んで左右一対となるように二つの弾性部材８５を用いたが、弾性部材をいずれか一つだけとしてもよい。
【産業上の利用可能性】
【００４５】
本発明のスイング扉は、頻繁に出入りがあるようなレジカウンター等の通路を仕切る際に利用可能であり、簡易で、扉自身の構成により防犯を達成することが要請される産業分野において特に有効に利用可能である。
【符号の説明】
【００４６】
１０  レジカウンター（スイング扉の取付け対象物）、２０  スイング扉、３０  本体部、３１  ストッパ棒（係止棒）、３２  操作窓（操作孔）、３４  支持突起、３６  固定部材、３８  連接部材、３９，３９ａ，３９ｂ  バネ（付勢部材）、４０  操作棒（操作部材）、４２  操作突起（突起部）、４４  ビス、４６  ビス、５０  ヒンジ円板（ヒンジ部材）、５２  閉鎖凹部（回転制止凹部）、５４，５４ａ，５４ｂ  開放凹部（第二回転制止凹部）、５６、支持軸、８０  ヒンジ円板と一体化されたブラケット、８５  弾性部材、１２０  スイング扉、１２２  把持穴。
【図１】
0005480606.tif 000002
【図２】
0005480606.tif 000003
【図３】
0005480606.tif 000004
【図４】
0005480606.tif 000005
【図５】
0005480606.tif 000006
【図６】
0005480606.tif 000007
【図７】
0005480606.tif 000008
【図８】
0005480606.tif 000009
【図９】
0005480606.tif 000010